(57)【要約】【課題】簡単な構成で、インクヘッドのノズル面に当接するワイプブレードとインクヘッドのノズル面の位置精度を向上させ、ノズル面の異物の払拭の能力を安定させることが可能なインクジェット記録装置を提供することである。【解決手段】本発明のインクジェット記録装置は、記録媒体の搬送方向と直交する方向に、その長手方向が固定してインクヘッド部３１ｋ、３１ｃ、３１ｍ、３１ｙが設けられている。このインクヘッド部３１ｋ、３１ｃ、３１ｍ、３１ｙは、ヘッドホルダ３０に保持されて、インクを吐出する吐出口が設けられたノズル面を有し、少なくとも１つ以上のインクヘッドを有している。上記インクヘッド部３１ｋ、３１ｃ、３１ｍ、３１ｙのノズル面は、ヘッドホルダ３０に保持されたワイプユニット３９が有するワイプブレード４０ｋ、４０ｃ、４０ｍ、４０ｙで払拭される。【選択図】      図１
2008284719.tif 000002
【特許請求の範囲】
【請求項１】
記録媒体を搬送する搬送機構と、
前記搬送機構と対向して配置され、複数のノズルが形成されたノズル面からインクを吐出して画像記録を行う少なくとも１つ以上のインクヘッドを前記記録媒体の幅方向全幅に亘って配列したインクヘッド部と、
前記インクヘッド部を保持するヘッド保持部材と、
前記ノズル面を払拭するワイプブレードを有するブレードユニットと、
を具備し、
前記ブレードユニットは、前記ヘッド保持部材に保持されていることを特徴とするインクジェット記録装置。
【請求項２】
前記ヘッド保持部には、前記ブレードユニットを格納する格納庫が設けられていることを特徴とする請求項１記載のインクジェット記録装置。
【請求項３】
前記格納庫は、前記インクヘッド部の長手方向延長線上の少なくとも一端に設けられていることを特徴とする請求項２記載のインクジェット記録装置。
【請求項４】
前記格納庫は、前記インクヘッド部の投影面積範囲外に設けられていることを特徴とする請求項２記載のインクジェット記録装置。
【請求項５】
前記格納庫は、前記搬送機構による前記記録媒体の搬送面の投影面積範囲外に設けられていることを特徴とする請求項２記載のインクジェット記録装置。
【請求項６】
前記ブレードユニットは、前記インクヘッド部による画像記録の際、前記格納庫に格納されていることを特徴とする請求項２記載のインクジェット記録装置。
【請求項７】
前記インクヘッド部のノズル面をキャッピングするヘッドキャップを有するキャップユニットを更に具備し、
前記ワイプブレードよって前記ノズル面を払拭する際、前記キャップユニットは、前記ヘッド保持部と対向して配置され、前記ブレードユニットは、前記ヘッド保持部と前記キャップユニットの間を走査することを特徴とする請求項１記載のインクジェット記録装置。
【請求項８】
前記格納庫は、開閉可能な開閉扉が設けられていることを特徴とする請求項２記載のインクジェット記録装置。
【請求項９】
前記格納庫は、前記ブレードユニットが格納されている際には、前記開閉扉によって閉じられていることを特徴とする請求項８記載のインクジェット記録装置。
【請求項１０】
前記ヘッド保持部は、前記ブレードユニットを前記インクヘッド部に対して移動可能とするためのガイド部を有することを特徴とする請求項１記載のインクジェット記録装置。
【請求項１１】
前記ワイプユニットは、前記インクヘッド部の長手方向に走査することを特徴とする請求項１記載のインクジェット記録装置。
【請求項１２】
前記ブレードユニットは、前記ワイプブレードを保持固定するブレード保持部を有し、当該ブレード保持部には、前記ワイプブレードによって払拭されたインクの流れを案内するインクガイド部材が形成されていることを特徴とする請求項１記載のインクジェット記録装置。
【請求項１３】
前記格納庫には、インク吸収体が設けられていることを特徴とする請求項２記載のインクジェット記録装置。
【請求項１４】
前記格納庫の内部には、前記ワイプブレードのクリーニング部材を有することを特徴とする請求項２記載のインクジェット記録装置。
【発明の詳細な説明】
【技術分野】
【０００１】
本発明はインクジェット記録装置に関し、より詳細には、位置決め制御した場合のバラツキを排除し、ノズル面の払拭を安定させたインクジェット記録装置の改良に関するものである。
【背景技術】
【０００２】
インクジェット記録装置は、記録媒体に対してインクを吐出するインクヘッドを備えている。このインクヘッドは、インクを吐出する複数のインク吐出口をライン状に設けたノズルプレートを備えている。また、このノズルプレートに於けるインク吐出口を設けた面を、ノズル面と称する。複数のインク吐出口は、それぞれ微小径に形成されているため、インクの粘性の増加により、インク吐出口に目詰まりが生じたり、インク吐出口に異物が入り込んだりして、インクの吐出不良が生じ、高画質の画像記録ができなくなる。
【０００３】
これを解決するために、インクジェット記録装置には、インクヘッドのインク吐出口をクリーニングするクリーニング機構を設けるのが一般的である。このクリーニング機構は、次のような方式がある。第１のクリーニンゲ方式は、インクヘッドをそのヘッド内部側から加圧することにより、インクをインク吐出口から排出し、インク吐出口の異物を外部に押し出す。第２のクリーニング方式は、インクヘッドのインク吐出口をこのインク吐出口の対面側からキャッピングし、キャッピングの外部からの吸引力によってインク吐出口からインクと共に異物を吸い出し、インク吐出口の異物を排除し、吐出不良を解消する。その後、ノズルプレートにワイプブレードを接触させながらワイプブレードとノズル面とを相対的に移動させることによって、ノズルプレートに付着したインクの除去を行う。上述したワイプブレードについては、例えば、下記特許文献１及び特許文献２に開示されている。
【０００４】
特許文献１では、ワイプブレードをキャッピング部材に設けた構成としている。キャッピング時には、ノズル面とキャッピング部材の相対位置を位置決め制御し、ワイプブレードによるノズル面の払拭時には、ノズル面とワイプブレードの相対位置を位置決め制御する。そして、インクヘッドとワイプブレードが予め設定された位置に位置決めされると、ノズル面に対してワイプブレードを弾性的に当接させながら、インクヘッド若しくはワイプブレードのどちらか一方を相対的に移動させ、ノズル面に付着したインクの除去を行う方法を採っている。
【０００５】
また、下記特許文献２は、記録媒体の搬送方向に対して直交する方向に移動する走査型のキャリッジに於けるワイプブレードについて開示している。このワイプブレードは、キャリッジに設けられている。更に、ワイプブレードは、キャリッジの走査方向と平行な方向に移動可能に設けられた構成としている。ワイプブレードによりノズル面を払拭する際には、ノズル面に対してワイプブレードを弾性的に当接させながら、キャリッジ若しくはワイプブレードのどちらか一方をキャリッジの走査方向と平行な方向に移動させることで、ノズル面に付着したインクの除去を行う方法を採っている。
【特許文献１】特開２００６−９６０１７号公報
【特許文献２】特開平７−３２３５５６号公報
【発明の開示】
【発明が解決しようとする課題】
【０００６】
上記特許文献１に提案されている方式によると、キャッピング部材と、ワイプブレードを１つのユニットに搭載していることにより、インクヘッドのノズル面に対して、キャッピング部材が当接する位置と、ワイプブレードが当接する位置との、複数の位置制御が必要となる上、ノズル面に対する精度としては、部品精度に加え、ユニット間の位置決め精度が必要となる。また、インクヘッドのノズル列に対し直交する方向にワイプブレードを走査するため、ワイプブレードに付着したインクがインクヘッドのノズル面を通り過ぎた際に、ワイプブレードから飛び散り、隣の色のインクヘッドに付着して混色を引き起こす可能性がある。そのため、実際にはインクヘッド間の距離を広げる必要が生じてくる。
【０００７】
また、上記特許文献２に提案されている方式によると、ノズル面とワイプブレードが当接する距離の制御は不必要ながら、インクヘッドによる画像記録の際にも、ノズル面と画像形成面との間には、ワイプブレードが存在するためのスペースが必要となる。これによって、ノズル面と画像形成面との間隔が広くなり、インクの着弾精度が悪化し、高画質な画像が得られないという問題を有している。
【０００８】
したがって本発明は、上記実情に鑑みてなされたものであり、その目的は、簡単な構成で、インクヘッドのノズル面に当接するワイプブレードとインクヘッドのノズル面の位置精度を向上させ、ノズル面の異物の払拭の能力を安定させることが可能なインクジェット記録装置を提供することである。
【課題を解決するための手段】
【０００９】
上記の課題を解決するために、本発明のインクジェット記録装置は、記録媒体を搬送する搬送機構と、搬送機構と対向して配置され、複数のノズルが形成されたノズル面からインクを吐出して画像記録を行う少なくとも１つ以上のインクヘッドを記録媒体の幅方向全幅に亘って配列したインクヘッド部と、インクヘッド部を保持するヘッド保持部材と、ノズル面を払拭するワイプブレードを有するブレードユニットと、を具備し、ブレードユニットは、ヘッド保持部材に保持されていることを特徴とする。
【発明の効果】
【００１０】
本発明によれば、簡単な構成で、インクヘッドのノズル面に当接するワイプブレードとインクヘッドのノズル面の位置精度を向上させ、ノズル面の異物の払拭の能力を安定させることが可能なインクジェット記録装置を提供することができる。
【発明を実施するための最良の形態】
【００１１】
以下、図面を参照して本発明の実施形態について説明する。
【００１２】
（第１の実施形態）
図１は、本発明の第１の実施形態であるインクジェット記録装置の全体構成図を示すもので、（ａ）は吸引ユニットが画像記録時の退避位置にある状態を示した図、（ｂ）は吸引ユニットのインク吸引位置を示した図、（ｃ）はワイプユニットのインク払拭位置を示した図である。
【００１３】
図１に於いて、インクジェット記録装置本体１０の一方の側面１１側には、給紙トレイ１２が取り付けられている。この給紙トレイ１２には、複数枚の記録媒体１３が収納されている。給紙トレイ１２の給紙端部で装置本体１０内には、ピックアップローラ１４が設けられている。このピックアップローラ１４は、給紙トレイ１２内に収納されている記録媒体１３を１枚ずつピックアップして、装置本体１０の内部に給紙する。このピックアップローラ１４により給紙される記録媒体１３の搬送路上には、一対のレジストローラ対１５が設けられている。この一対のレジストローラ対１５は、給紙トレイ１２から給紙された記録媒体１３を、所定の搬送速度で搬送機構であるベルトユニット１７に送り出す。
【００１４】
上記ベルトユニット１７は、記録媒体１３を吸着保持して、図示矢印Ｘ方向に所定の搬送速度で搬送する。このベルトユニット１７は、プラテンフレーム１８に各プラテンローラ１９〜２１を備えており、これらプラテンローラ１９〜２１間には、ベルト２２がテンションを掛けた状態で回転可能に設けられている。ベルト２２は、無端で帯状に形成され、且つ、無数の孔が設けられている。プラテンローラ１９、２０の間で、且つ、ベルト２２の下方には、プラテン２３と吸引ファン２４とが設けられている。プラテン２３には多数の孔が設けられている。
【００１５】
吸引ファン２４は、ベルト２２の多数の孔からプラテン２３の多数の孔を通して、エアーを吸引する。これにより、記録媒体１３は、ベルト２２上に吸着される。しかるに、レジストローラ対１５からベルト２２上に送り出された記録媒体１３は、吸引ファン２４の吸引力によって、ベルト２２上に吸着され、各プラテンローラ１９〜２１の駆動により、所定の搬送速度で図示矢印Ｘ方向に搬送される。尚、各プラテンローラ１９〜２１と、ベルト２２と、プラテン２３と、吸引ファン２４と、プラテンフレーム１８とで、ベルトユニット１７を構成している。また、ベルトユニット１７は、図示されない昇降機構によって、図示矢印Ｚ方向に上下移動可能に保持されている。
【００１６】
装置本体１０の他方の側面２６側で、且つ、ベルトユニット１７からの記録媒体１３の搬送路上には、排出ローラ対２７が設けられている。この排出ローラ対２７は、ベルトユニット１７から搬送される画像等の記録済みの記録媒体１３を、装置本体１０の外部に排出する。
【００１７】
装置本体１０の他方の側面２６には、排紙トレイ２８が取り付けられている。この排紙トレイ２８は、装置本体１０から排出された記録済みの記録媒体１３を収納する。
【００１８】
ベルトユニット１７の上方には、ヘッドホルダ３０が設けられている。このヘッドホルダ３０には、複数のインク色用、例えばブラック（以下、Ｋ色と記す）、シアン（以下、Ｃ色と記す）、マゼンタ（以下、Ｍ色と記す）、イエロ（以下、Ｙ色と記す）の各インクヘッド部３１ｋ、３１ｃ、３１ｍ、３１ｙを有する記録部が設けられている。
【００１９】
Ｋ色インクヘッド部３１ｋは、Ｋ色のインクを吐出する。Ｃ色インクヘッド部３１ｃは、Ｃ色のインクを吐出する。Ｍ色インクヘッド部３１ｍは、Ｍ色のインクを吐出する。Ｙ色インクヘッド３１ｙは、Ｙ色のインクを吐出する。各色のインクヘッド部３１ｋ、３１ｍ、３１ｃ、３１ｙは、図２に示されるように、例えばインクヘッド部３１ｋに於いては、インクヘッド３１ｋ1 〜３１ｋ6 を２列に配列し、１色のインクヘッド部３１ｋを形成している。このことは、インクヘッド部３１ｃ、３１ｍ、３１ｙについても同様である。これらインクヘッド部３１ｋ、３１ｃ、３１ｍ、３１ｙは、ベルトユニット１７の上方で、該ベルトユニット１７のベルト２２に対して対向して設けられている。これらインクヘッド部３１ｋ、３１ｃ、３１ｍ、３１ｙは、記録媒体１３の搬送方向（Ｘ方向）の上流側から下流方側に向かって、所定の間隔毎に設けられている。これらインクヘッド部３１ｋ、３１ｃ、３１ｍ、３１ｙの各インクヘッドには、長手方向にライン状に配列した複数のインク吐出口（ノズル列）を有するノズル面３２ｋ、３２ｃ、３２ｍ、３２ｙが形成されている
上記インクヘッド部３１ｋ、３１ｃ、３１ｍ、３１ｙは、各ノズル面３２ｋ、３２ｃ、３２ｍ、３２ｙに形成されたノズル列が記録媒体１３の搬送方向（Ｘ方向）に対して直交する方向（Ｙ方向）になるように配設されている。また、インクヘッド部３１ｋ、３１ｃ、３１ｍ、３１ｙの各Ｙ方向の長さは、記録媒体１３の幅（Ｙ方向の長さ）以上に形成されている。また、ヘッドホルダ３０の記録媒体１３の搬送方向下流側には、図２に示されるように、ワイプモータ４５が固定されている。このワイプモータ４５は、詳細は後述するがガイド軸及びガイドプレートによってヘッドホルダ３０に保持されているワイプユニット３９をＹ軸方向に移動可能にしている。
【００２０】
キャップユニット３４は、インクヘッド部３１ｋ、３１ｃ、３１ｍ、３１ｙの各インクヘッドに形成されたノズル面３２ｋ、３２ｃ、３２ｍ、３２ｙのインク吐出口から、それぞれインクを吸引する。キャップユニット３４は、図１に示されるように、インクパン３６内部に各インクヘッド部３１ｋ、３１ｃ、３１ｍ、３１ｙに対応した吸引キャップ部３７ｋ、３７ｃ、３７ｍ、３７ｙが保持されている。
【００２１】
各吸引キャップ部３７ｋ、３７ｃ、３７ｍ、３７ｙは、例えば図１（ｂ）に示されるように、各インクヘッド部３１ｋ、３１ｃ、３１ｍ、３１ｙの各ノズル面３２ｋ、３２ｃ、３２ｍ、３２ｙをキャップする。各吸引キャップ部３７ｋ、３７ｃ、３７ｍ、３７ｙは、図３に示されるように、例えば、吸引キャップ部３７ｋは、インクヘッド部３１Ｋの各インクヘッド３１ｋ1 〜３１ｋ6 に対応するように、吸引キャップ３７ｋ1 〜３７ｋ6 を２列に配列し、１色の吸引キャップ部３７ｋを形成している。このことは、吸引キャップ部３７ｃ、３７ｍ、３７ｙに関しても同様である。
【００２２】
インクパン３６は、インクヘッド部３１ｋ、３１ｃ、３１ｍ、３１ｙから滴下したり、または払拭されたインクを収容する。また、キャップユニット３４は、キャップフレーム３５を有する。このキャップフレーム３５は、ベルトユニット１７に積載保持されている。これにより、キャップユニット３４は、不図示の昇降機構によってベルトユニット１７がＺ方向へ上下移動するのに追従して、ベルトユニット１７に積載保持されながらＺ方向に上下移動する。また、インクパン３６は、キャップフレーム３５に支持され、キャップフレーム３５内を図示されないＸ方向駆動機構によりＸ方向に移動可能に設けられている。
【００２３】
このように、インクパン３６のＸ方向へ移動と、上記キャップユニット３４のＺ方向への上下移動とにより、インクパン３６は、図１（ａ）に示される画像記録時の待避位置Ａと、図１（ｂ）に示される各インクヘッド部３１ｋ、３１ｃ、３１ｍ、３１ｙに各吸引キャップ部３７ｋ、３７ｃ、３７ｍ、３７ｙが密着するキャッピング位置Ｂと、図１（ｃ）に示されるワイプユニット３９による各ノズル面３２ｋ、３２ｃ、３２ｍ、３２ｙのインクを払拭するインク払拭位置Ｃと、に移動可能である。
【００２４】
上記画像記録時の待避位置Ａは、記録媒体１３に画像等の情報を記録するときのキャップユニット３４の位置である。キャッピング位置Ｂは、吸引キャップ部３７ｋ、３７ｃ、３７ｍ、３７ｙによる各インクヘッド部３１ｋ、３１ｃ、３１ｍ、３１ｙの各ノズル面３２ｋ、３２ｃ、３２ｍ、３２ｙをキャッピングする位置である。更に、インク払拭位置Ｃは、各ワイプブレード４０ｋ、４０ｃ、４０ｍ、４０ｙにより各インクヘッド部３１ｋ、３１ｃ、３１ｍ、３１ｙの各ノズル面３２ｋ、３２ｃ、３２ｍ、３２ｙからそれぞれインクを払拭する位置である。
【００２５】
しかるに、キャップユニット３４は、図１（ａ）に示される待避位置Ａから昇降機構によってＺ方向に下降し、インクパン３６をＸ方向駆動機構によってＸ方向に移動して、各吸引キャップ部３７ｋ、３７ｃ、３７ｍ、３７ｙを各インクヘッド部３１ｋ、３１ｃ、３１ｍ、３１ｙにそれぞれ対応する下方位置に移動する。
【００２６】
キャップユニット３４は、再び昇降機構によってＺ方向に上昇し、図１（ｂ）に示されるキャッピング位置Ｂに移動する。このとき、各吸引キャップ部３７ｋ、３７ｃ、３７ｍ、３７ｙは、図１（ｂ）に示されるように、各インクヘッド部３１ｋ、３１ｃ、３１ｍ、３１ｙにそれぞれ当接する。これら吸引キャップ部３７ｋ、３７ｃ、３７ｍ、３７ｙには、図示されないダクトを介して吸引ポンプが接続されている。この吸引ポンプを吸引駆動することにより、ダクトを通して各吸引キャップ部３７ｋ、３７ｃ、３７ｍ、３７ｙに吸引力が伝達する。これにより、各吸引キャップ部３７ｋ、３７ｃ、３７ｍ、３７ｙは、各インクヘッド部３１ｋ、３１ｃ、３１ｍ、３１ｙからインクを吸引する。上記吸引ポンプは、各インクヘッド部３１ｋ、３１ｃ、３１ｍ、３１ｙから吸引したインクを廃液として回収する。
【００２７】
また、インクパン３６には図示されない廃液ダクトが設けられており、インクパン３６に滴下したインクを、図示されない廃液タンクヘ回収する。
【００２８】
次に、ベルトユニット１７は、昇降機構によって、図１（ｂ）に示されるキャッピング位置ＢよりもＺ方向に下降し、図１（ｃ）に示されるインク払拭位置Ｃに移動する。このインク払拭位置Ｃでは、キャップユニット３４（吸引キャップ部３７ｋ、３７ｃ、３７ｍ、３７ｙ）と、各ワイプブレード４０ｋ、４０ｃ、４０ｍ、４０ｙを備えたワイプユニット３９とが干渉しない位置である。
【００２９】
尚、制御部４３は、ピックアップローラ１４やレジストローラ対１５、ベルトユニット１７、排出ローラ対２７等を駆動し、ベルトユニット１７により搬送されている記録媒体１３に対して、各インクヘッド部３１ｋ、３１ｃ、３１ｍ、３１ｙからインクを吐出して、記録媒体１３に画像等の情報を記録する一連の記録動作の制御と、各インクヘッド部３１ｋ、３１ｃ、３１ｍ、３１ｙをクリーニングするクリーニング処理動作の制御を行うものである。
【００３０】
次に、ワイプユニット３９の詳細について説明する。図４は、ワイプユニット３９を詳細に示した図である。図４に示すように、ワイプユニット３９は、各インクヘッド部３１ｋ、３１ｃ、３１ｍ、３１ｙに対応したワイプブレード４０ｋ、４０ｃ、４０ｍ、４０ｙと、各ワイプブレード４０ｋ、４０ｃ、４０ｍ、４０ｙを固定保持するブレードホルダ６５と、ブレードホルダ６５を載置するワイプホルダ５３と、を有している。
【００３１】
ワイプブレード４０ｋ、４０ｃ、４０ｍ、４０ｙは、それぞれゴム等の樹脂等から成る弾性部材により形成されており、各インクヘッド部３１ｋ、３１ｃ、３１ｍ、３１ｙに対応して、各色１つずつ設けられている。
【００３２】
ブレードホルダ６５には、インクガイド７５1 、７５2 、７５3 、７５4 が形成されている。尚、図４ではインクガイド７５1 、７５3 が詳細に示されているが、７５1 、７５3 が形成された面と対向する面にもインクガイド７５1 、７５3 と同様な構成のインクガイド７５2 、７５4 が形成されている。このインクガイド７５1 、７５2 、７５3 、７５4 は、ワイプブレード４０ｋ、４０ｃ、４０ｍ、４０ｙによって払拭されたインクが、矢印Ｅ、Ｆ方向に自重で流れ落ちるように下り傾斜となっている。また、ブレードホルダ６５の長手方向両側には、ワイプ軸６８ａ、６８ｂが設けられている。ブレードホルダ６５は、このワイプ軸６８ａ、６８ｂを回動中心として回動する。
【００３３】
ワイプホルダ５３には、前述したインクガイド７５1 、７５2 、７５3 、７５4 に沿って案内されたインクを回収するためのインク吸収体７８ａ、７８ｂが設けられている。これにより、ワイプブレード４０ｋ、４０ｃ、４０ｍ、４０ｙによって払拭されたインクは、インクガイド７５1 、７５2 、７５3 、７５4 を介してすべてインク吸収体７８ａ、７８ｂに回収される。また、ワイプホルダ５３には、ワイプ軸６８ａ、６８ｂを回転可能に軸支する支持部６７ａ、６７ｂが設けられている。これにより、ブレードホルダ６５はワイプホルダ５３に対して揺動可能に保持されている。ブレードホルダ６５の揺動範囲は、ブレードホルダ６５に設けられたＺ方向に立設したストッパ７０によって傾きが規制されている。尚、ブレードホルダ６５のＸ方向の両側面と支持部６７ａ、６７ｂとの間には、ブレードホルダ６５をストッパ７０に向けて付勢するためのバネ７２が掛け渡されている。さらに、ワイプホルダ５３の長手方向の一端側には、ブッシュ５４ａ、５４ｂ及びベルト固定部５５が設けられており、他端側には、ガイドフック５６が設けられている。このブッシュ５４ａ、５４ｂ及びガイドフック５６によってワイプユニット３９は、ヘッドホルダ３０に保持される。ベルト固定部５５には、後述するベルトが固定して取り付けられており、ベルトの移動に追従してワイプユニット３９も移動する構成となっている。
【００３４】
次に、ワイプユニット３９のヘッドホルダ３０への保持方法、及びワイプユニット３９のＹ方向への移動方法について図５及び図６を用いて説明する。図５は、ヘッドホルダ３０を下方斜めから見た図を示し、図６はワイプユニット３９の移動経路を詳細に示した図である。尚、図５及び図６は、ワイプユニット３９がワイプ格納庫５７内部に収納された待機位置Ｗにあるときの状態を示している。ワイプ格納庫５７については、後述する。
【００３５】
図５に示すように、ヘッドホルダ３０の記録媒体１３の搬送方向下流側には、インクヘッド部３１ｋ、３１ｃ、３１ｍ、３１ｙのノズル列と平行な方向にガイド軸５０ａが設けられている。このガイド軸５０は、ヘッドホルダ３０に固設されている。また、ガイド軸５０は、前述したブッシュ５４ａ、５４ｂを摺動可能に保持している。
【００３６】
一方、ヘッドホルダ３０の記録媒体１３の搬送方向上流側には、インクヘッド部３１ｋ、３１ｃ、３１ｍ、３１ｙのノズル列と平行な方向にガイド溝５１が形成されている。このガイド溝５１に対向するようにガイドプレート５２がヘッドホルダ３０に固定して設けられ、ガイドプレート５２とガイド溝５１との間に、隙間（空間）を形成されている。前述したガイドフック５６は、ヘッドホルダ３０に形成されたガイド溝５１とヘッドホルダ３０に固定されたガイドプレート５２との間にＺ方向の動きを規制された状態で保持されている。このようにしてワイプホルダ５３（ワイプユニット３９）は、ヘッドホルダ３０に固定されたガイド軸５０ａとガイドプレート５２によって両端が保持された状態でＹ方向に移動可能に保持されている。
【００３７】
また、図５及び図６に示すように、ヘッドホルダ３０の記録媒体１３の搬送方向下流側には、プーリ４６が設けられている。このプーリ４６は、前述したワイプモータ４５と接続されている。また、プーリ４６に対してインクヘッド部の長手方向反対側には、プーリ４７が設けられている。このプーリ４６とプーリ４７の間には、ベルト４８が加張して掛けられており、ワイプモータ４５を駆動させると、この駆動力がプーリ４６に伝達され、ベルト４８は各プーリ４６、４７間を移動する。これにより、ワイプホルダ５３（ワイプユニット３９）は、ベルト４８に前述したベルト固定部５５が取り付けられているため、ベルト４８の移動と共に、ガイドフック５６及びブッシュ５４ａ、５４ｂがガイドプレート５２及びガイド軸５０を摺動してＹ方向に往復移動する。その際、ヘッドホルダ３０の記録媒体１３の搬送方向上流側には、反転ガイド７３が設けられており、ブレードホルダ６５（ワイプブレード４０ｋ、４０ｃ、４０ｍ、４０ｙ）の傾斜角度を可変している。
【００３８】
次に、ワイプ格納庫５７について図７及び図８を用いて説明する。図７は、ワイプ格納庫５７のみを示した斜視図であり、図８は、図１（ｃ）に示すインク払拭位置Ｃにおけるヘッドホルダ３０、キャップユニット３４、ベルトユニット１７及びワイプ格納庫５７のそれぞれの位置関係を装置側面側から見た図である。
【００３９】
図７に示すように、ワイプ格納庫５７には、カバー５９が設けられている。このカバー５９は、長手方向一端（ガイド軸５０ａに近接する側の側面）に開閉ガイド６２が形成され、両端をカバー軸６０ａ、６０ｂによって回転可能に保持されている。これによりカバー５９は、図７に示す開状態と、図６に示す閉状態との間を回動する。
【００４０】
ワイプ格納庫５７の底面は、中央の廃液口７４を最底部として傾斜した形状となっている。この廃液口７４は、図示されない廃液回収ボトルヘと連結しているため、ワイプユニット３９から垂れ落ちたインクは、廃液口７４を介して廃液回収ボトルへと回収される。さらに、ワイプユニット３９をワイプ格納庫５７に収納するためにワイプ格納庫５７の長手方向の一端側（ガイド軸５０ａに近接する側の側面）には、開口５８が形成されている。この開口５８にワイプホルダ５３が入り込むことにより、ワイプユニット３９がワイプ格納庫５７に収納可能となっている。その際、ブレードホルダ６５（ワイプブレード４０ｋ、４０ｃ、４０ｍ、４０ｙ）の傾斜角度を可変するために、ワイプ格納庫５７には、反転ガイド６９が設けられている。
【００４１】
このように構成されたワイプ格納庫５７は、図８に示すように、インクヘッド部３１ｋ、３１ｃ、３１ｍ、３１ｙから吐出されるインクの吐出範囲外に配設されている。具体的には、インクヘッド部３１ｋ、３１ｃ、３１ｍ、３１ｙの長手方向延長線上の一端側でインクヘッド部３１ｋ、３１ｃ、３１ｍ、３１ｙの投影面積範囲外に配設されている。尚、ワイプ格納庫５７は、仮にワイプ格納庫５７からインクが垂れたとしてもベルトユニット１７のベルト上にインクを付着させないためにベルトユニット１７の投影面積範囲外に配設するとさらによい。
【００４２】
次に、ワイプユニット３９の待機位置Ｗ及び反転位置Ｌでの状態について図９乃至図１２を用いて説明する。図９は、待機位置Ｗに於けるワイプホルダ５３とブレードホルダ６５の状態を示した図である。尚、カバー５９は、図の明確化のために、図に記載していない。図１０は、待機位置Ｗに於けるワイプホルダ５３とブレードホルダ６５の一部詳細図である。図１１は、反転位置Ｌに於けるワイプホルダ５３とブレードホルダ６５の状態を示した図である。図１２は、反転位置Ｌに於けるワイプホルダ５３とブレードホルダ６５の一部詳細図である。
【００４３】
図９及び図１０に示すように、ワイプホルダ５３がワイプ格納庫５７に収納され、待機位置Ｗに位置する際、ブレードホルダ６５の下部が反転ガイド６９に当接することにより、ワイプ軸６８ａ、６８ｂを中心軸として、その姿勢が傾斜する。このとき、ブレードホルダ６５がストッパ７０の下部に当接することによりワイプホルダ５３は、待機位置Ｗから反転位置Ｌに走査した場合に於いて、ワイプブレード４０ｋ、４０ｃ、４０ｍ、４０ｙがノズル面３２ｃ、３２ｍ、３２ｙに接触しない角度となるように傾きが規制されている。その際、ブレードホルダ６５のＸ方向の両側面と、支持部６７ａ、６７ｂの間には、バネ７２が掛け渡されており、ブレードホルダ６５をストッパ７０に付勢した状態で保持している。
【００４４】
図１１及び図１２に示すように、ワイプホルダ５３が反転位置Ｌに位置する際、ブレードホルダ６５の下部が反転ガイド７３に当接することにより、ワイプ軸６８ａ、６８ｂを中心軸として待機位置Ｗでのブレードホルダ６５の傾きを反転させる。この時、ブレードホルダ６５がストッパ７０の上部に当接することにより、ブレードホルダ６５は、各ワイプブレード４０ｋ、４０ｃ、４０ｍ、４０ｙがそれぞれ各インクヘッド部３１ｋ、３１ｃ、３１ｍ、３１ｙの各ノズル面３２ｋ、３２ｃ、３２ｍ、３２ｙに対して直角となるように傾きが規制されている。その際、ワイプホルダ５３と支持部６７ａ、６７ｂとの間に掛け渡されたバネ７２によって、ブレードホルダ６５をストッパ７０に付勢した状態で保持している。このようにワイプホルダ６５の角度は、待機位置Ｗから反転位置Ｌに走査した場合に於いてはワイプブレード４０ｋ、４０ｃ、４０ｍ、４０ｙが、ノズル面３２ｃ、３２ｍ、３２ｙに接触せず、反転位置Ｌから待機位置Ｗに走査した場合に於いてはワイプブレード４０ｋ、４０ｃ、４０ｍ、４０ｙがノズル面３２ｃ、３２ｍ、３２ｙに接触するように設定されている。
【００４５】
次に、上記のように構成されたインクジェット記録装置１０に於ける画像記録動作について説明する。
【００４６】
制御部４３によって、ピックアップローラ１４やレジストローラ対１５、ベルトユニット１７、排出ローラ対２７等が駆動される。これにより、給紙トレイ１２に収納されている記録媒体１３は、ピックアップローラ１４により１枚ずつピックアップされ、レジストローラ対１５に送り出される。このレジストローラ対１５は、記録媒体１３をベルト２２上に搬送するタイミングを調整して、ベルトユニット１７のベルト２２上に搬送する。
【００４７】
ベルトユニット１７は、各プラテンローラ１９〜２１のうち駆動モータと連結された、例えば、プラテンローラ２０の回転によりベルト２２を移動する。このとき、ベルトユニット１７の吸引ファン２４が駆動しているので、この吸引ファン２４の駆動により、エアーの吸引力が、プラテン２３に設けられた多数の孔及びベルト２２に設けられた多数の孔を通して、ベルト２２上の記録媒体１３に伝わる。これにより、記録媒体１３は、ベルト２２上に吸着保持されて、ベルト２２の移動と共に搬送される。
【００４８】
記録媒体１３の搬送により、当該記録媒体１３がインクヘッド部３１ｋ、３１ｃ、３１ｍ、３１ｙの下方に順次到達すると、インクヘッド部３１ｋ、３１ｃ、３１ｍ、３１ｙは、ノズル面３２ｋ、３２ｃ、３２ｍ、３２ｙに形成された各インク吐出口から、それぞれＫ、Ｃ、Ｍ、Ｙのインクを吐出する。これら吐出されたインクは、記録媒体１３面上に着弾し、画像等の情報が記録される。
【００４９】
画像等の情報が記録された記録媒体１３は、排出ローラ対２７により、装置１０の外部に排出される。
【００５０】
このような記録媒体１３への画像等の情報の記録を、複数枚の記録媒体１３に対して、例えば、連続して行うと、記録媒体１３の紙粉が発生したり、インクの粘度が増加したり、インク内に気泡が発生したりなどする。しかるに、これら等が原因となって、インクヘッド部３１ｋ、３１ｃ、３１ｍ、３１ｙの各インク吐出口にインク吐出の不良が発生する可能性が生じる。
【００５１】
このようなことから、インクヘッド部３１ｋ、３１ｃ、３１ｍ、３１ｙは、ノズル面３２ｋ、３２ｃ、３２ｍ、３２ｙに対するクリーニング処理が行われる。このクリーニング処理は、例えば、予め設定された記録媒体１３の枚数の画像記録動作が終了した後に行われる。
【００５２】
次に、上記の如く構成されたインクジェット記録装置１０に於けるクリーニング処理動作について説明する。
【００５３】
クリーニング処理動作時になると、ベルトユニット１７を保持している昇降機構は、ベルトユニット１７を下降すると共に、該ベルトユニット１７の下降に追従させてキャップユニット３４を下降させる。このときの高さは、キャップユニット３４の各吸引キャップ部３７ｋ、３７ｃ、３７ｍ、３７ｙが、各インクヘッド部３１ｋ、３１ｃ、３１ｍ、３１ｙの各ノズル面３２ｋ、３２ｃ、３２ｍ、３２ｙよりも下方となる高さである。
【００５４】
その後、インクパン３６を移動させて、各ノズル面３２ｋ、３２ｃ、３２ｍ、３２ｙに各吸引キャップ部３７ｋ、３７ｃ、３７ｍ、３７が対向する位置に、位置決めが行われる。再び昇降機構によってベルトユニット１７を上昇させると共に、該ベルトユニット１７の上昇に追従させてキャップユニット３４を上昇させ、各吸引キャップ部３７ｋ、３７ｃ、３７ｍ、３７ｙを各インクヘッド部３１ｋ、３１ｃ、３１ｍ、３１ｙにそれぞれ密着させる。
【００５５】
各吸引キャップ部３７ｋ、３７ｃ、３７ｍ、３７ｙが各インクヘッド部３１ｋ、３１ｃ、３１ｍ、３１ｙに密着したところで、キャップユニット３４の上昇が停止する。この状態で、吸引ポンプがエアー吸引動作を行う。これにより、吸引ポンプによるエアーの吸引力が、ダクトを介して各吸引キャップ部３７ｋ、３７ｃ、３７ｍ、３７ｙと各インクヘッド部３１ｋ、３１ｃ、３１ｍ、３１ｙの各ノズル面３２ｋ、３２ｃ、３２ｍ、３２ｙとの間に形成される各空間に伝わり、これら空間内にそれぞれ負圧が発生する。この負圧の発生により、各インクヘッド部３１ｋ、３１ｃ、３１ｍ、３１ｙの各ノズル面３２ｋ、３２ｃ、３２ｍ、３２ｙに形成されている各インク吐出口から紙粉等の異物が、インクと共に排出される。
【００５６】
エアー吸引動作終了後、昇降機構によりベルトユニット７と共にキャップユニット３４が下降する。これにより、図１（ｃ）に示されるように、キャップユニット３４と各インクヘッド部３１ｋ、３１ｃ、３１ｍ、３１ｙとの間の空間にワイプユニット３９を作動させる空間が形成される。ワイプホルダ５３は、ワイプユニット３９の動作時以外は、ワイプ格納庫５７内部の待機位置Ｗにある。この待機位置Ｗに於いて、各ワイプブレード４０ｋ、４０ｃ、４０ｍ、４０ｙは、それぞれ各インクヘッド３１ｋ、３１ｃ、３１ｍ、３１ｙの各ノズル面３２ｋ、３２ｃ、３２ｍ、３２ｙに対して、傾斜した姿勢に保持される。
【００５７】
ワイプユニット３９に於けるワイプモータ４５が順方向に回転すると、該ワイプモータ４５に連結されているプーリ４６が回転駆動する。これにより、ベルト４８は、各プーリ４６、４７の間で移動を開始する。ベルト４８には、ベルト固定部５５を介してワイプホルダ５３が固定されているので、ワイプホルダ５３は、ベルト４８の移動と共に、片側をガイド軸５０ａに対する各ブッシュ５４ａ、５４ｂの摺動によって案内され、もう一方をガイドプレート５２に対するガイドフック５６によって案内され、待機位置Ｗから反転位置Ｌに移動する。図１３及び図１４は、それぞれワイプホルダ５３が待機位置Ｗから反転位置Ｌに移動する際の状態図及びワイプホルダ５３がワイプ格納庫５７から出る際の詳細図を示している。
【００５８】
図１４に示すように、ワイプ格納庫５７からワイプホルダ５３が出る際、カバー５９は、ワイプホルダ５３が当接することによってカバー軸６０ａ、６０ｂを中心に回動し、開かれる。このときの各ワイプブレード４０ｋ、４０ｃ、４０ｍ、４０ｙの傾斜角度は、図１３に示すように、各インクヘッド３１ｋ、３１ｃ、３１ｍ、３１ｙの各ノズル面３２ｋ、３２ｃ、３２ｍ、３２ｙに接触することがない角度の姿勢に保持され、各インクヘッド３１ｋ、３１ｃ、３１ｍ、３１ｙの各ノズル面３２ｋ、３２ｃ、３２ｍ、３２ｙに接触することなく反転位置Ｌへと移動する。
【００５９】
ワイプホルダ５３が反転位置Ｌに到達すると、該ワイプホルダ５３に保持されているブレードホルダ６５の下部が反転ガイド７３に当接する。この当接により、ブレードホルダ６５は、ワイプ軸６８ａ、６８ｂを中心に回転し、ストッパ７０の上部にブレードホルダ６５の側面が当接し、バネ７２によってストッパ７０側へと付勢される。これにより、各ワイプブレード４０ｋ、４０ｃ、４０ｍ、４０ｙは、それぞれ各インクヘッド部３１ｋ、３１ｃ、３１ｍ、３１ｙの各ノズル面３２ｋ、３２ｃ、３２ｍ、３２ｙに対して直角となる角度に姿勢を保持される。このときの各ワイプブレード４０ｋ、４０ｃ、４０ｍ、４０ｙは、各インクヘッド部３１ｋ、３１ｃ、３１ｍ、３１ｙの各ノズル面３２ｋ、３２ｃ、３２ｍ、３２ｙに接触する位置関係となる。
【００６０】
一方、ワイプホルダ５３が反転位置Ｌに位置する状態になると、ワイプモータ４５は逆転駆動する。このワイプモータ４５の駆動により、図１５に示すように、ワイプホルダ５３は、反転位置Ｌから待機位置Ｗに向かって移動する。ワイプホルダ５３が反転位置Ｌから待機位置Ｗに向かって移動するとき、各ワイプブレード４０ｋ、４０ｃ、４０ｍ、４０ｙは各インクヘッド部３１ｋ、３１ｃ、３１ｍ、３１ｙの各ノズル面３２ｋ、３２ｃ、３２ｍ、３２ｙに対して直角な姿勢に保持された状態で、当該各ノズル面３２ｋ、３２ｃ、３２ｍ、３２ｙに接触しながら移動する。
【００６１】
しかるに、各インクヘッド部３１ｋ、３１ｃ、３１ｍ、３１ｙの各ノズル面３２ｋ、３２ｃ、３２ｍ、３２ｙが払拭されると、これらノズル面３２ｋ、３２ｃ、３２ｍ、３２ｙに付着しているインクが払拭される。このとき、払拭されたインクは、自重により各ワイプブレード４０ｋ、４０ｃ、４０ｍ、４０ｙからブレードホルダ６５へ流れる。ブレードホルダ６５には、インクガイド７５1 、７５2 、７５3 、７５4 が形成されているため、払拭されたインクは、インクガイド７５1 、７５2 、７５3 、７５4 に案内され、ワイプホルダ５３に設けられたインク吸収体７８ａ、７８ｂによって吸収される。
【００６２】
また、図１６及び図１７には、ワイプホルダ５３がワイプ格納庫５７に戻る際の詳細図を示している。ワイプホルダ５３がワイプ格納庫５７に収納される際、まず、カバー５９の片側側面に形成された開閉ガイド６２にワイプホルダ５３が接触する。すると、カバー軸６０ａ、６０ｂを回転中心に、カバー５９が閉じられていく。そして、最終的には、開閉ガイド６２に対応した位置に設けられたワイプホルダ５３の凸部６３が、開閉ガイド６２に当接することによって、カバー５９が閉じられた状態で保持される。そして、ワイプホルダ５３に保持されているブレードホルダ６５の下部が反転ガイド６９に当接する。この当接により、ブレードホルダ６５は、ワイプ軸６８ａ、６８ｂを中心に回転し、ストッパ７０の下部にブレードホルダ６５の側面が当接し、バネ７２によってストッパ７０側へと付勢される。これにより、ワイプホルダ５３が待機位置Ｗから反転位置Ｌに移動する際にワイプブレード４０ｋ、４０ｃ、４０ｍ、４０ｙが、ノズル面３２ｋ、３２ｃ、３２ｍ、３２ｙに接触することなく移動することができる。
【００６３】
また、ワイプホルダ５３が待機位置Ｗで停止すると、ワイプホルダ５３に設けられたインク吸収体７８ａ、７８ｂが、ワイプ格納庫５７の側面に圧縮された状態で当接する。これにより、インク吸収体７８ａ、７８ｂに吸収されたインクは、自重によってワイプ格納庫５７の側面から底面に流れ、ワイプ格納庫５７の底面に形成された傾斜によって廃液口７４に案内される。この廃液口７４へ案内されたインクは、図示されない廃液ボトルヘと排出される。
【００６４】
ワイプホルダ６５が待機位置Ｗで停止した後、インクパン３６を、各ノズル面３２ｋ、３２ｃ、３２ｍ、３２ｙに対向する位置から退避させ、再び昇降機構によりベルトユニット１７を上昇させることで各インクヘッド部３１ｋ、３１ｃ、３１ｍ、３１ｙによって画像形成可能な状態（待避位置Ａ）に復帰する。
【００６５】
このように、本第１の実施形態によれば、ワイプユニット３９をヘッドホルダ３０に保持させることによって、インクヘッド部３１ｋ、３１ｃ、３１ｍ、３１ｙの各ノズル面３２ｋ、３２ｃ、３２ｍ、３２ｙとワイプブレード４０ｋ、４０ｃ、４０ｍ、４０ｙの相対位置を可変にさせることなく、ワイプブレード４０ｋ、４０ｃ、４０ｍ、４０ｙを各ノズル面３２ｋ、３２ｃ、３２ｍ、３２ｙに対して走査させることができる。したがって、ワイプユニット３９をキャップユニット３４に保持させ、各インクヘッド部３１ｋ、３１ｃ、３１ｍ、３１ｙの各ノズル面３２ｋ、３２ｃ、３２ｍ、３２ｙに対してワイプブレード４０ｋ、４０ｃ、４０ｍ、４０ｙの相対位置の制御を行う方式に比べ、部品精度だけで精度を確保することが可能となり、ワイプブレード４０ｋ、４０ｃ、４０ｍ、４０ｙによってインクヘッド部３１ｋ、３１ｃ、３１ｍ、３１ｙの各ノズル面３２ｋ、３２ｃ、３２ｍ、３２ｙを払拭する精度を向上させ、且つ、安定させることができる。
【００６６】
また、ワイプユニット３９を内部に格納するワイプ格納庫５７が、用紙搬送部であるベルトユニット１７よりも外側に設けられているため、画像記録時においてワイプユニット３９が邪魔になることなく、各インクヘッド部３１ｋ、３１ｃ、３１ｍ、３１ｙに対してベルトユニット１７を近距離に位置決めして画像記録を行うことが可能となる。これにより、安定したインクの着弾精度を確保することができる。
【００６７】
さらに、画像記録時はワイプユニット３９がワイプ格納庫５７に格納されているため、紙粉等の異物がワイプブレード４０ｋ、４０ｃ、４０ｍ、４０ｙに付着することを防止することができ、常にクリーンな状態でノズル面３２ｋ、３２ｃ、３２ｍ、３２ｙを払拭することが可能となる。
【００６８】
ワイプブレード４０ｋ、４０ｃ、４０ｍ、４０ｙによる各ノズル面３２ｋ、３２ｃ、３２ｍ、３２ｙの払拭時には、必ずキャップユニット３４のインクパン３６が、ベルトユニット１７の上方に位置する。このため、各インクヘッド部３１ｋ、３１ｃ、３１ｍ、３１ｙやワイプユニット３９からインクが滴下したとしても、ベルトユニット１７上にインクが付着することはないため、用紙に不必要なインクが付着することを防止できる。
【００６９】
ブレードホルダ６５には、インクガイド７５1 、７５2 、７５3 、７５4 が設けられていることによって、ワイプブレード４０ｋ、４０ｃ、４０ｍ、４０ｙによって払拭されたインクを一部に案内する。このことにより、インクが部品の稜線等を伝うことによって、装置が汚染されることを防止することができる。
【００７０】
尚、上述した実施形態では、２列に配置された同色のインクヘッドに対して１つのワイプブレードが設けられているが、これに限られるものではなく、列毎にワイプブレードが設けられるものであっても良い。
【００７１】
（第２の実施形態）
次に、本発明の第２の実施の形態について図面を参照して説明する。
【００７２】
尚、この第２の実施形態に於いて、インクジェット記録装置の本的な構成については、図１乃至図１７に示される第１の実施形態と同じであり、基本的な動作についても同様である。したがって、これらの構成及び動作については、同一の部分には同一の参照番号を付して、その図示及び説明は省略するものとし、異なる部分の構成及び動作についてのみ説明する。
【００７３】
図１８は、本発明の第２の実施形態であるインクジェット記録装置の全体構成図を示すもので、（ａ）はインクパンが画像記録時の退避位置にある状態を示した図、（ｂ）は吸引ユニットのインク吸引位置を示した図、（ｃ）はワイプユニットのインク払拭位置を示した図である。
【００７４】
図１８（ａ）に示されるように、インクジェット記録装置８０内のベルトユニット１７の上方には、ヘッドホルダ３０が設けられている。このヘッドホルダ３０には、複数のインク色用の各インクヘッド８１ｋ、８１ｃ、８１ｍ、８１ｙが設けられている。そして、各色のインクヘッド８１ｋ、８１ｍ、８１ｃ、８１ｙは、図１９に示されるように、１本の長尺のラインヘッドにより構成されている。これら各インクヘッド８１ｋ、８１ｃ、８１ｍ、８１ｙは、それぞれ複数のインク吐出口（ノズル）をライン状に形成した各ノズル面３２ｋ、３２ｃ、３２ｍ、３２ｙを設けている。これら各インクヘッド８１ｋ、８１ｃ、８１ｍ、８１ｙは、各ノズル面３２ｋ、３２ｃ、３２ｍ、３２ｙにライン状に設けた各インク吐出口のライン方向を、記録媒体１３の搬送方向（Ｘ方向）に対して直交する方向（Ｙ方向）になるように設けている。また、各インクヘッド８１ｋ、８１ｃ、８１ｍ、８１ｙの各Ｙ方向の長さは、記録媒体１３の幅（Ｙ方向の長さ）以上に形成されている。
【００７５】
キャップユニット３４は、各インクヘッド８１ｋ、８１ｃ、８１ｍ、８１ｙの各ノズル面３２ｋ、３２ｃ、３２ｍ、３２ｙをそれぞれキャッピングする。このキャップユニット３４は、キャップフレーム３５を有しており、インクパン８４が、このキャップフレーム３５内部を図示されないＸ方向駆動機構によりＸ方向に移動可能に設けられている。このインクパン８４は、各インクヘッド８１ｋ、８１ｃ、８１ｍ、８１ｙから滴下したり、或いは払拭されたインクを収容する。
【００７６】
また、インクパン８４内部には、図２０に示されるように、複数の保護キャップ８２ｋ、８２ｃ、８２ｍ、８２ｙがそれぞれ各インクヘッド８１ｋ、８１ｃ、８１ｍ、８１ｙに対応して保持されている。各保護キャップ８２ｋ、８２ｃ、８２ｍ、８２ｙは、例えば、図１８（ｂ）に示されるように、各インクヘッド８１ｋ、８１ｃ、８１ｍ、８１ｙの各ノズル面３２ｋ、３２ｃ、３２ｍ、３２ｙをキャップする。ここで、キャップフレーム３５は、ベルトユニット１７に積載保持されている。これにより、キャップユニット３４は、ベルトユニット１７のＺ方向への上下移動に追従してＺ方向に上下移動する。
【００７７】
このように、インクパン８４のＸ方向への移動と上記キャップユニット３４のＺ方向に上下移動とにより、インクパン８４は、図１８（ａ）に示される画像記録時の待避位置Ａと、図１８（ｂ）に示される各インクヘッド８１ｋ、８１ｃ、８１ｍ、８１ｙを各保護キャップ８２ｋ、８２ｃ、８２ｍ、８２ｙによって密閉するキャッピング位置Ｂと、図１８（ｃ）に示されるワイプユニット３９による、各ノズル面３２ｋ、３２ｃ、３２ｍ、３２ｙに付着したインクを払拭する際における、インク払拭位置Ｄと、に移動可能である。
【００７８】
画像記録時の待避位置Ａは、記録媒体１３に画像等の情報を記録するときのキャップユニット３４の位置である。また、キャッピング位置Ｂは、装置が非動作時、つまり画像記録を行っていない待機状態に於いて、各インクヘッド８１ｋ、８１ｃ、８１ｍ、８１ｙの各ノズル面３２ｋ、３２ｃ、３２ｍ、３２ｙを保護するため、各保護キャップ８２ｋ、８２ｃ、８２ｍ、８２ｙを当接させ、各ノズル面３２ｋ、３２ｃ、３２ｍ、３２ｙを密閉した状態の位置である。更に、インク払拭位置Ｄは、各ワイプブレード４０ｋ、４０ｃ、４０ｍ、４０ｙにより、各インクヘッド８１ｋ、８１ｃ、８１ｍ、８１ｙの各ノズル面３２ｋ、３２ｃ、３２ｍ、３２ｙから、それぞれインクを払拭する位置であり、キャップユニット３４の各保護キャップ８２ｋ、８２ｃ、８２ｍ、８２ｙは、各インクヘッド８１ｋ、８１ｃ、８１ｍ、８１ｙの直下から外れた位置である。
【００７９】
しかるに、キャップユニット３４は、図１８（ａ）に示される待避位置Ａから昇降機構によってＺ方向に下降し、インクパン８４をＸ方向駆動機構によってＸ方向にして、該インクパン８４を各インクヘッド８１ｋ、８１ｃ、８１ｍ、８１ｙのインク払拭位置Ｄ位置に移動させる。このインク払拭位置Ｄでは、キャップユニット３４と各ワイプブレード４０ｋ、４０ｃ、４０ｍ、４０ｙを備えたワイプユニット３９とが干渉しない位置である。
【００８０】
各インクヘッド８１ｋ、８１ｃ、８１ｍ、８１ｙには、各インクヘッド８１ｋ、８１ｃ、８１ｍ、８１ｙの内部を加圧する、図示されない加圧機構が各々設けられている。そして、これらの加圧機構により、各インクヘッド８１ｋ、８１ｃ、８１ｍ、８１ｙの内圧を高めることによって、各インクヘッド８１ｋ、８１ｃ、８１ｍ、８１ｙからインクを排出させる。各インクヘッド８１ｋ、８１ｃ、８１ｍ、８１ｙから排出されたインクは、インクパン８４に滴下し、インクパン８４から接続された図示されない廃液ボトルヘと回収する。
【００８１】
また、装置が非動作時には、インクパン８４をＸ方向駆動機構によってＸ方向に移動して、各保護キャップ８２ｋ、８２ｃ、８２ｍ、８２ｙを各インクヘッド８１ｋ、８１ｃ、８１ｍ、８１ｙの直下に移動させる。その後、昇降機構によって、ベルトユニット１７を上昇させることによって、キャップユニット３４もベルトユニット１７の上昇に追従して上昇する。これにより、各保護キャップ８２ｋ、８２ｃ、８２ｍ、８２ｙは、各インクヘッド８１ｋ、８１ｃ、８１ｍ、８１ｙの各ノズル面３２ｋ、３２ｃ、３２ｍ、３２ｙに密着し、保護する。
【００８２】
一方、ワイプユニット３９は、図１８（ｃ）、図２１に示されるように、ヘッドホルダ３０に保持されており、各インクヘッド８１ｋ、８１ｃ、８１ｍ、８１ｙの各ノズル面３２ｋ、３２ｃ、３２ｍ、３２ｙを払拭する。このワイプユニット３９は、各ワイプブレード４０ｋ、４０ｃ、４０ｍ、４０ｙを有しており、それぞれ各インクヘッド８１ｋ、８１ｃ、８１ｍ、８１ｙに対応して、各インクヘッド８１ｋ、８１ｃ、８１ｍ、８１ｙの各ノズル面３２ｋ、３２ｃ、３２ｍ、３２ｙを払拭する。
【００８３】
図２１はヘッドホルダ３０の下方斜めから見た図を示し、図２２はワイプホルダ８６の移動経路を示している。
【００８４】
ワイプユニット３９は、各インクヘッド８１ｋ、８１ｃ、８１ｍ、８１ｙの各ノズル面３２ｋ、３２ｃ、３２ｍ、３２ｙに付着したインクを払拭（除去）する。ヘッドホルダ３０のＸ方向の略中央には、ワイプモータ４５が固定されており、該ワイプモータ４５はプーリ４６を保持している。また、プーリ４６に対してインクヘッド８１ｋ、８１ｃ、８１ｍ、８１ｙの長手方向反対側には、プーリ４７が固定されている。上記プーリ４６とプーリ４７の間には、ベルト４８が加張して掛けられている。
【００８５】
一方、ヘッドホルダ３０の記録媒体１３の搬送方向上流側には、インクヘッド８１ｋ、８１ｃ、８１ｍ、８１ｙのノズル列と平行な方向にガイド軸５０ａが固定され、記録媒体１３の搬送方向下流側には、インクヘッド８１ｋ、８１ｃ、８１ｍ、８１ｙのノズル列と平行な方向にガイド軸５０ｂが固定されている。
【００８６】
ワイプホルダ８６の両側には、各ブッシュ５４ａ、５４ｂ、５４ｃ、５４ｄが設けられており、ガイド軸５０ａ、５０ｂの間に摺動可能に掛け渡されている。即ち、ワイプホルダ８６は、ヘッドホルダ３０に固定されたガイド軸５０aとガイド軸５０ｂによって両端が保持された状態でＹ方向に移動可能に設けられている。また、ワイプホルダ８６には、ベルト固定部５５が設けられており、ベルト４８が固定して取り付けられている。これにより、ベルト４８の移動に追従してワイプホルダ８６も移動する。
【００８７】
このように、ガイド軸５０ａ及びガイド軸５０ｂに摺動可能に保持されたワイプホルダ８６は、ワイプモータ４５の駆動によるプーリ４６及びプーリ４７間でのベルト４８の移動に追従してＹ方向に往復移動する。ワイプホルダ８６の往復移動の経路上に於ける両側の位置には、ワイプ格納庫８５ａ、８５ｂがヘッドホルダ３０に設けられている。ワイプ格納庫８５ａ、８５ｂには、カバー８７ａ、８７ｂ、８７ｃ、８７ｄが設けられている。このカバー８７ａ、８７ｂ、８７ｃ、８７ｄの長手方向両端部には、該カバー８７ａ、８７ｂ、８７ｃ、８７ｄをワイプ格納庫８５ａ、８５ｂに対して回転可能にするためのカバー軸８８ａ、８８ｂ、８８ｃ、８８ｄ、８８ｅ、８８ｆ、８８ｇ、８８ｈが設けられている。これにより、カバー８７ａ、８７ｂ、８７ｃ、８７ｄが、ワイプ格納庫８５ａ、８５ｂを開閉可能としている。図２３は、インク払拭位置Ｄにおける装置側面側から見た場合のワイプ格納庫８５ａ、８５ｂ、ヘッドホルダ３０、ベルトユニット１７、キャップユニット３４の位置関係を示している。ワイプ格納庫８５ａ、８５ｂは、各インクヘッド８１ｋ、８１ｃ、８１ｍ、８１ｙから吐出されるインクの吐出範囲外であり、且つ、キャップユニット３４とベルトユニット１７の投影範囲外に設けられている。
【００８８】
図２７は、ワイプホルダ８６の形状を示した斜視図である。
【００８９】
ワイプホルダ８６には、ブレードホルダ９１が固定されており、該ブレードホルダ９１には、それぞれワイプブレード４０ｋ、４０ｃ、４０ｍ、４０ｙが固定されている。これらワイプブレード４０ｋ、４０ｃ、４０ｍ、４０ｙは、それぞれゴム等の樹脂などから成る弾性部材により形成されており、各インクヘッド８１ｋ、８１ｃ、８１ｍ、８１ｙに対応して、各色１つずつ設けられている。また、前述したベルト固定部５５が立設してワイプホルダ８６に設けられている。
【００９０】
図２５はワイプ格納庫８５ａ内部の待機位置Ｗ1 にワイプホルダ８６が位置している際の内部の状態を示した図、図２６はワイプ格納庫８５ｂ内部の待機位置Ｗ2 にワイプホルダ８６が位置している際の内部の状態を示した図である。
【００９１】
ワイプ格納庫８５ａの内部には、各々ワイプブレード４０ｋ、４０ｃ、４０ｍ、４０ｙに対応したブレードクリーナ９３ｋ1 、９３ｃ1 、９３ｍ1 、９３ｙ1 が設けられている。同様に、ワイプ格納庫８５ｂの内部には、各々ワイプブレード４０ｋ、４０ｃ、４０ｍ、４０ｙに対応したブレードクリーナ９３ｋ2 、９３ｃ2 、９３ｍ2 、９３ｙ2 が設けられている。
【００９２】
各ブレードクリーナ９３ｋ1 、９３ｃ1 、９３ｍ1 、９３ｙ1 、９３ｋ2 、９３ｃ2 、９３ｍ2 、９３ｙ2 は、ヘッドホルダ３０から垂下した形状としており、ブレードホルダ９１に保持されたワイプブレード４０ｋ、４０ｃ、４０ｍ、４０ｙがその走査時に接触する位置となっている。
【００９３】
図２７は、ブレードホルダ９１の形状を示した斜視図である。
【００９４】
ブレードホルダ９１の両側面には、インクガイド９０ａ1 、９０ａ2 、９０ｂ1 、９０ｂ2 、９０ｃ1 、９０ｃ2 、９０ｄ1 、９０ｄ2 が形成されている。上記インクガイド９０ａ1 、９０ａ2 、９０ｂ1 、９０ｂ2 、９０ｃ1 、９０ｃ2 、９０ｄ1 、９０ｄ2 は、各ワイプブレード４０ｋ、４０ｃ、４０ｍ、４０ｙに対応した位置に設けられており、斜めに傾斜した形状となっている。各ワイプブレード４０ｋ、４０ｃ、４０ｍ、４０ｙに付着したインクは、インクガイド９０ａ1 、９０ａ2 、９０ｂ1 、９０ｂ2 、９０ｃ1 、９０ｃ2 、９０ｄ1 、９０ｄ2 の傾斜に沿って、下方の突起９６ｋ、９６ｃ、９６ｍ、９６ｙに案内される。
【００９５】
図２８は、ワイプ格納庫８５ａ、８５ｂ中の待機位置Ｗにブレードホルダ９１が位置した状態を示した図である。
【００９６】
ワイプ格納庫８５ａ、８５ｂの底面には、各々インク吸収体９７ａ、９７ｂが設けられている。ワイプ格納庫８５ａ、８５ｂ内部にブレードホルダ９１が格納されると、該ブレードホルダ９１の突起９６ｋ、９６ｃ、９６ｍ、９６ｙがインク吸収体９７ａ、９７ｂに接触する。すると、ブレードホルダ９１に付着したインクは、インク吸収体９７ａ、９７ｂへ吸収される。
【００９７】
即ち、ワイプブレード４０ｋ、４０ｃ、４０ｍ、４０ｙをインクヘッド８１ｋ、８１ｃ、８１ｍ、８１ｙのノズル面３２ｋ、３２ｃ、３２ｍ、３２ｙに接触させて移動させると、ノズル面３２ｋ、３２ｃ、３２ｍ、３２ｙに付着しているインクが払拭される。このとき、払拭されたインクは、ワイプブレード４０ｋ、４０ｃ、４０ｍ、４０ｙから、自重によって下方に位置するブレードホルダ９１に流れる。ブレードホルダ９１に流れたインクは、該ブレードホルダ９１に形成されたインクガイド９０ａ1 、９０ａ2 、９０ｂ1 、９０ｂ2 、９０ｃ1 、９０ｃ2 、９０ｄ1 、９０ｄ2 を伝って突起部９６ｋ、９６ｃ、９６ｍ、９６ｙに導かれる。ワイプ格納庫８５ａ、８５ｂに格納されると、突起部９６ｋ、９６ｃ、９６ｍ、９６ｙに導かれたインクは、インク吸収体９７ａ、９７ｂへ吸収される。
【００９８】
図２９はワイプ格納庫８５ａからワイプ格納庫８５ｂへとワイプホルダ８６が移動する時に於ける、カバー８７ａ、８７ｂが開く途中の状態を示した図、図３０はワイプ格納庫８５ａからワイプ格納庫８５ｂヘワイプホルダ８６が格納される際のカバー８７ｃ、８７ｄの状態を示した図である。
【００９９】
ワイプブレード４０ｋ、４０ｃ、４０ｍ、４０ｙによって、各ノズル面３２ｋ、３２ｃ、３２ｍ、３２ｙを払拭する時に於いて、ワイプ格納庫８５ａからワイプホルダ８６が移動し、カバー８７ａ、８７ｂを開く。この際、ワイプホルダ８６に設けられたガイド９２ａ、９２ｂが、カバー８７ａ、８７ｂに当接し、カバー軸８８ａ、８８ｂ、８８ｃ、８８ｄを回転中心に回動して開かれる。更にワイプホルダ８６が移動し、カバー８７ａ、８７ｂとガイド９２ａ、９２ｂが当接しなくなると、カバー８７ａ、８７ｂは自重によって閉じられる。
【０１００】
ワイプホルダ８６が更に移動して、ワイプ格納庫８５ｂの手前に位置した際、ワイプホルダ８６に設けられたガイド９２ａ、９２ｂが、カバー８７ｃ、８７ｄに当接する。すると、カバー８７ｃ、８７ｄは、カバー軸８８ｅ、８８ｆ、８８ｇ、８８ｈを回転中心に、ワイプ格納庫８５ｂの内部方向へ回動して開かれる。そして、カバー８７ｃ、８７ｄとガイド９２ａ、９２ｂが当接しなくなると、カバー８７ｃ、８７ｄは自重によって閉じられる。この動作は、ワイプホルダ８６が、ワイプ格納庫８５ｂからワイプ格納庫８５ａへ移動する際、逆の動きをする。
【０１０１】
尚、制御部４３は、ピックアップローラ１４やレジストローラ対１５、ベルトユニット１７、排出ローラ対２７等を駆動し、ベルトユニット１７により搬送されている記録媒体１３に対して各インクヘッド８１ｋ、８１ｃ、８１ｍ、８１ｙからインクを吐出して、記録媒体１３に画像等の情報を記録する一連の記録動作の制御と、各インクヘッド８１ｋ、８１ｃ、８１ｍ、８１ｙをクリーニングするクリーニング処理動作の制御とを行う。
【０１０２】
記録媒体１３への画像等の情報の記録を、複数枚の記録媒体１３に対して、例えば、連続して行うと、記録媒体１３の紙粉が発生したり、インクの粘度が増加したり、インク内に気泡が発生したりなどする。しかるに、これら等が原因となって各インクヘッド８１ｋ、８１ｃ、８１ｍ、８１ｙの各インク吐出口にインク吐出の不良が発生する可能性が生じる。
【０１０３】
このようなことから、各インクヘッド８１ｋ、８１ｃ、８１ｍ、８１ｙは、各ノズル面３２ｋ、３２ｃ、３２ｍ、３２ｙに対するクリーニング処理が行われる。このクリーニング処理は、例えば、予め設定された記録媒体１３の枚数の画像記録動作が終了した後に行われる。
【０１０４】
次に、上記の如く構成されたインクジェット記録装置に於けるクリーニング処理動作について説明する。
【０１０５】
クリーニング処理動作時になると、ベルトユニット１７を保持している昇降機構は、ベルトユニット１７を下降すると共に、ベルトユニット１７の下降に追従させて、キャップユニット３４を下降させる。このときの高さは、キャップユニット３４の各保護キャップ８２ｋ、８２ｃ、８２ｍ、８２ｙは各インクヘッド８１ｋ、８１ｃ、８１ｍ、８１ｙの各ノズル面３２ｋ、３２ｃ、３２ｍ、３２ｙよりも下方となる高さであり、且つ、ワイプユニット３９が各インクヘッド８１ｋ、８１ｃ、８１ｍ、８１ｙの各ノズル面３２ｋ、３２ｃ、３２ｍ、３２ｙを走査可能な空間を有する高さである。
【０１０６】
その後、インクパン８４を移動させ、各ノズル面３２ｋ、３２ｃ、３２ｍ、３２ｙの直下に各保護キャップ８２ｋ、８２ｃ、８２ｍ、８２ｙが位置しないインク払拭位置Ｄに位置決めを行う。この状態で、図示されない加圧機構が作動し、各インクヘッド８１ｋ、８１ｃ、８１ｍ、８１ｙ内部に圧を加え、各インクヘッド８１ｋ、８１ｃ、８１ｍ、８１ｙの各インク吐出口からインクを排出させる。
【０１０７】
これにより、各インクヘッド８１ｋ、８１ｃ、８１ｍ、８１ｙの各ノズル面３２ｋ、３２ｃ、３２ｍ、３２ｙに形成されている各インク吐出口から、それぞれ装置内のゴミや記録用紙等の記録媒体の搬送により生じる紙粉等の異物が、インクと共に排出される。排出されたインクは、インクパン８４に滴下し、インクパン８４から接続された、図示されない廃液ボトルヘと回収される。
【０１０８】
加圧動作時、ワイプホルダ８６は、ワイプ格納庫８５ａ内部の待機位置Ｗ1 にある。加圧動作終了後、ワイプモータ４５を順方向に回転すると、ワイプモータ４５に連結されているプーリ４６が回転駆動される。これにより、ベルト４８は、各プーリ４６、４７の間で移動を開始する。ベルト４８には、ベルト固定部５５を介してワイプホルダ８６が固定されているので、ワイプホルダ８６は、ベルト４８の移動と共に、ガイド軸５０ａ、５０ｂに対する各ブッシュ５４ａ、５４ｂ、５４ｃ、５４ｄの摺動によって案内され、ワイプ格納庫８５ａ内部の待機位置Ｗ1 からワイプ格納庫８５ｂの待機位置Ｗ2 に移動する。
【０１０９】
ワイプ格納庫８５ａからワイプホルダ８６が出る際、カバー８７ａ、８７ｂはワイプホルダ８６のガイド９２ａ、９２ｂの当接によって、カバー軸８８ａ、８８ｂ、８８ｃ、８８ｄを中心に回動し開かれる。ワイプ格納庫８５ａからワイプホルダ８６が完全に出ると、カバー８７ａ、８７ｂは自重によって垂直状態となり、ワイプ格納庫８５ａの開口部９８ａは閉じられる。
【０１１０】
ワイプホルダ８６は、そのままの姿勢で各インクヘッド８１ｋ、８１ｃ、８１ｍ、８１ｙの直下を移動する。ブレードホルダ９１に保持されたワイプブレード４０ｋ、４０ｃ、４０ｍ、４０ｙは、弾性的に撓んだ状態で、各インクヘッド８１ｋ、８１ｃ、８１ｍ、８１ｙの各ノズル面３２ｋ、３２ｃ、３２ｍ、３２ｙを接触しながら、各ノズル面３２ｋ、３２ｃ、３２ｍ、３２ｙに付着したインクを払拭する。
【０１１１】
そして、ワイプホルダ８６がワイプ格納庫８５ｂのカバー８７ｃ、８７ｄの位置に到達すると、ワイプホルダ８６のガイド９２ａ、９２ｂがカバー８７ｃ、８７ｄに当接し、カバー軸８８ｅ、８８ｆ、８８ｇ、８８ｈを回転中心として、カバー８７ｃ、８７ｄはワイプ格納庫８５ｂ側に開かれて、ワイプホルダ８６はワイプ格納庫８５ｂ内部へ移動する。そして、カバー８７ｃ、８７ｄとガイド９２ａ、９２ｂが当接しなくなると、カバー８７ｃ、８７ｄは自重によって閉じられる。
【０１１２】
ワイプホルダ８６がワイプ格納庫８５ｂに移動すると、ヘッドホルダ３０から垂下して設けられたブレードクリーナ９３ｋ2 、９３ｃ2 、９３ｍ2 、９３ｙ2 にワイプブレード４０ｋ、４０ｃ、４０ｍ、４０ｙが接触しながら移動し、ワイプブレード４０ｋ、４０ｃ、４０ｍ、４０ｙに付着したインクは除去される。そして、ワイプホルダ８６が待機位置Ｗ2 に停止すると、ブレードホルダ９１に形成された突起９６ｋ、９６ｃ、９６ｍ、９６ｙは、ワイプ格納庫８５ｂの底面に設けられたインク吸収体９７ｂに当接する。そして、ブレードホルダ９１の側面に形成されたインクガイド９０ａ1 、９０ａ2 、９０ｂ1 、９０ｂ2 、９０ｃ1 、９０ｃ2 、９０ｄ1 、９０ｄ2 によって、突起９６ｋ、９６ｃ、９６ｍ、９６ｙに案内されたインクが、インク吸収体９７ｂによって吸収され、クリーニング動作は終了する。
【０１１３】
クリーニング動作後、続けて画像形成の指令が行われない場合、インクパン８４をＸ方向駆動機構によって−Ｘ方向に移動させて、各保護キャップ８２ｋ、８２ｃ、８２ｍ、８２ｙを各インクヘッド８１ｋ、８１ｃ、８１ｍ、８１ｙの直下に移動させる。その後、昇降機構によってベルトユニット１７を上昇させることによって、ベルトユニット１７に追従してキャップユニット３４を上昇させ、キャップ位置Ｂに位置させる。この状態に於いて、各インクヘッド８１ｋ、８１ｃ、８１ｍ、８１ｙに各保護キャップ８２ｋ、８２ｃ、８２ｍ、８２ｙが密着し、各インクヘッド８１ｋ、８１ｃ、８１ｍ、８１ｙの各ノズル面３２ｋ、３２ｃ、３２ｍ、３２ｙを保護する。
【０１１４】
クリーニング動作後、続けて画像形成の指令が行われた場合は、インクパン８４をＸ方向に移動させ、ヘッドホルダに対向しない位置にキャップユニット３４を移動させる。その後、ベルトユニット１７を保持している昇降機構によって、ベルトユニット１７を上昇させると共に、ベルトユニット１７の上昇に追従させてキャップユニット３４を上昇させ、画像形成時の待機位置Ａへとキャップユニット３４を移動させ、画像形成を行う。
【０１１５】
その後、再びクリーニング処理動作時になると、キャップユニット３４をインク払拭位置Ｄに移動させる。この状態で、図示されない加圧機構が作動し、各インクヘッド８１ｋ、８１ｃ、８１ｍ、８１ｙ内部に圧を加え、各インクヘッド８１ｋ、８１ｃ、８１ｍ、８１ｙの各インク吐出口からインクを排出させる。これにより、各インクヘッド８１ｋ、８１ｃ、８１ｍ、８１ｙの各ノズル面３２ｋ、３２ｃ、３２ｍ、３２ｙに形成されている各インク吐出口から、それぞれ装置内のゴミや記録用紙等の記録媒体の搬送により生じる紙粉等の異物がインクと共に排出される。排出されたインクは、インクパン８４から接続された、図示されない廃液ボトルヘと回収される。
【０１１６】
加圧動作時、ワイプホルダ８６は、ワイプ格納庫８５ｂ内部の待機位置Ｗ2 にある。加圧動作終了後、ワイプユニット３９に於けるワイプモータ４５が逆方向に回転すると、ワイプ格納庫８５ｂ内部の待機位置Ｗ2 からワイプ格納庫８５ａの待機位置Ｗ1 に移動する。ワイプ格納庫８５ｂからワイプホルダ８６が出る際、カバー８７ｃ、８７ｄはワイプホルダ８６のガイド９２ａ、９２ｂによってカバー軸８８ｅ、８８ｆ、８８ｇ、８８ｈを中心に回動して開かれる。
【０１１７】
ワイプ格納庫８５ｂからワイプホルダ８６が完全に出ると、カバー８７ｃ、８７ｄは自重によって垂直状態となり、ワイプ格納庫８５ｂの開口部９８ｂは閉じられる。ワイプホルダ８６は、そのままの姿勢で各インクヘッド８１ｋ、８１ｃ、８１ｍ、８１ｙの直下を移動し、ブレードホルダ９１に保持されたワイプブレード４０ｋ、４０ｃ、４０ｍ、４０ｙは弾性的に撓んだ状態で、各インクヘッド８１ｋ、８１ｃ、８１ｍ、８１ｙの各ノズル面３２ｋ、３２ｃ、３２ｍ、３２ｙを接触しながら、各ノズル面３２ｋ、３２ｃ、３２ｍ、３２ｙに付着したインクを払拭する。
【０１１８】
そして、ワイプホルダ８６がワイプ格納庫８５ａのカバー８７ａ、８７の位置に到達すると、ワイプホルダ８６のガイド９２ａ、９２ｂがカバー８７ａ、８７ｂに当接する。続いて、カバー軸８８ａ、８８ｂ、８８ｃ、８８ｄを回転中心にカバー８７ａ、８７ｂはワイプ格納庫８５ａ側に開かれ、ワイプホルダ８６はワイプ格納庫８５ａ内部へ移動する。そして、カバー８７ａ、８７ｂとガイド９２ａ、９２ｂが当接しなくなると、カバー８７ａ、８７ｂは自重によって閉じられる。
【０１１９】
ワイプホルダ８６がワイプ格納庫８５ａ内部に移動すると、ヘッドホルダ３０から垂下して設けられたブレードクリーナ９３ｋ1 、９３ｃ1 、９３ｍ1 、９３ｙ1 にワイプブレード４０ｋ、４０ｃ、４０ｍ、４０ｙが接触することにより、ワイプブレード４０ｋ、４０ｃ、４０ｍ、４０ｙに付着したインクは、除去される。
【０１２０】
ワイプホルダ８６が待機位置Ｗ1 に停止すると、ブレードホルダ９１に形成された突起９６ｋ、９６ｃ、９６ｍ、９６ｙは、ワイプ格納庫８５ａの底面に設けられたインク吸収体９７ａに当接し、ブレードホルダ９１の側面に形成されたインクガイド９０ａ1 、９０ａ2 、９０ｂ1 、９０ｂ2 、９０ｃ1 、９０ｃ2 、９０ｄ1 、９０ｄ2 によって、突起９６ｋ、９６ｃ、９６ｍ、９６ｙに案内されたインクが、インク吸収体９７ａによって吸収され、クリーニング動作は終了する。
【０１２１】
このように、第２の実施形態によれば、ヘッドホルダ３０の両側面にワイプ格納庫８５ａ、８５ｂを設けることによって、１度のクリーニング動作に於いて、往復させずに片道駆動するため、クリーニング動作の時間を短縮することができる。また、ワイプ格納庫８５ａ、８５ｂの内部にワイプブレード４０ｋ、４０ｃ、４０ｍ、４０ｙをクリーニングするブレードクリーナ９３ｋ1 、９３ｋ2 、９３ｃ1 、９３ｃ2 、９３ｍ1 、９３ｍ2 、９３ｙ1 、９３ｙ2 に設けているため、ワイプブレード４０ｋ、４０ｃ、４０ｍ、４０ｙのみならず、ブレードクリーナ９３ｋ1 、９３ｋ2 、９３ｃ1 、９３ｃ2 、９３ｍ1 、９３ｍ2 、９３ｙ1 、９３ｙ2 に画像記録中の紙粉等の異物が付着することを防止でき、常にクリーンな状態でノズル面３２ｋ、３２ｃ、３２ｍ、３２ｙを払拭することが可能となる。
【０１２２】
更に、ワイプホルダ８６に於いては、ワイプホルダ８６の両側をガイド軸５０ａ、５０ｂによってガイドされ、ワイプホルダ８６の駆動源をガイド軸５０ａ、５０ｂの略中央に配置しているため、ワイプホルダ８６を走査方向に対してガタツキなく、安定して走査させることが可能となり、各ノズル面３２ｋ、３２ｃ、３２ｍ、３２ｙの払拭を均一に行うことができる。
【０１２３】
尚、本第２の実施形態では、１回のクリーニング動作に於いて、ワイプホルダ８６を片道駆動させ、１度の払拭を行っているが、例えば、装置が可動せず長期間放置され、インク吐出口のインクが固着した場合や、ノズル面３２ｋ、３２ｃ、３２ｍ、３２ｙのインク固着が著しい場合等、状況に応じて変えることも可能である。例えば、往路では図示されない加圧機構によってインクヘッド８１ｋ、８１ｃ、８１ｍ、８１ｙの吐出口からインクを排出させながら、ノズル面３２ｋ、３２ｃ、３２ｍ、３２ｙ上を走査し、復路では図示されない加圧機構の駆動を停止し、インクヘッド８１ｋ、８１ｃ、８１ｍ、８１ｙの吐出口からインクを排出させずにノズル面３２ｋ、３２ｃ、３２ｍ、３２ｙに付着したインクを払拭する等、１度のクリーニング動作に於いて、ノズル面３２ｋ、３２ｃ、３２ｍ、３２ｙを往路と復路の２度払拭しても良い。
【０１２４】
以上、本発明の実施形態について説明したが、本発明は上述した実施形態に限定されるものではなく、本発明の要旨を逸脱しない範囲で種々の変形実施が可能であるのは勿論である。
【０１２５】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１２６】
【図１】本発明の第１の実施形態であるインクジェット記録装置の全体構成図を示すもので、（ａ）はインクパンが画像記録時の退避位置にある状態を示した図、（ｂ）は吸引ユニットのインク吸引位置を示した図、（ｃ）はワイプユニットのインク払拭位置を示した図である。
【図２】第１の実施形態に於けるインクヘッドの配列を示した図である。
【図３】第１の実施形態に於けるキャップユニットの吸引キャップの配列を示した図である。
【図４】第１の実施形態に於けるワイプユニットを詳細に示した図である。
【図５】第１の実施形態に於けるヘッドホルダを下方斜めから見た図である。
【図６】第１の実施形態に於けるワイプユニットの移動経路を詳細に示した図である。
【図７】第１の実施形態に於けるワイプ格納庫のみを示した斜視図である。
【図８】第１の実施形態に於けるヘッドホルダ、キャップユニット、ベルトユニット及びワイプ格納庫のそれぞれの位置関係を装置側面側から見た図である。
【図９】第１の実施形態に於けるワイプ格納庫内の待機位置Ｗにあるワイプホルダの姿勢を示した図である。
【図１０】第１の実施形態に於けるワイプ格納庫内の待機位置Ｗにあるブレードホルダの姿勢を示す一部詳細図である。
【図１１】第１の実施形態に於ける反転位置Ｌにあるワイプホルダの姿勢を示した図である。
【図１２】第１の実施形態に於ける反転位置Ｌにあるブレードホルダの姿勢を示す一部詳細図である。
【図１３】第１の実施形態に於けるワイプブレードがノズル面に対して傾斜した姿勢に保持された状態で待機位置Ｗから反転位置Ｌに移動する状態を示した図である。
【図１４】第１の実施形態に於けるワイプホルダの移動によってカバーが開く際の状態を示した図である。
【図１５】第１の実施形態に於けるワイプブレードがノズル面に対して直角の姿勢に保持された状態でノズル面を払拭しながら反転位置Ｌから待機位置Ｗに移動する状態を示した図である。
【図１６】第１の実施形態に於けるワイプホルダの移動によってカバーが閉じる際の状態を示した図である。
【図１７】第１の実施形態に於けるカバーが閉じた状態を示した図である。
【図１８】本発明の第２の実施形態であるインクジェット記録装置の全体構成図を示すもので、（ａ）はインクパンが画像記録時の退避位置にある状態を示した図、（ｂ）は吸引ユニットのインク吸引位置を示した図、（ｃ）はワイプユニットのインク払拭位置を示した図である。
【図１９】第２の実施形態に於けるインクヘッドの配列を示した図である。
【図２０】第２の実施形態に於けるキャップユニットの保護キャップの配列を示した図である。
【図２１】第２の実施形態に於けるヘッドホルダの下方斜めから見た図である。
【図２２】第２の実施形態に於けるワイプホルダの移動経路を示す図である。
【図２３】第２の実施形態に於ける装置側面から見たヘッドホルダとキャップユニットとベルトユニットとワイプ格納庫との位置関係を示した図である。
【図２４】第２の実施形態に於けるワイプホルダを示した図である。
【図２５】第２の実施形態に於ける一方のワイプ格納庫内の待機位置にあるワイプホルダを示した図である。
【図２６】第２の実施形態に於けるもう一方のワイプ格納庫内の待機位置にあるワイプホルダを示した図である。
【図２７】第２の実施形態に於けるブレードホルダのインクガイドを示した図である。
【図２８】第２の実施形態に於けるワイプ格納庫内にあるブレードホルダを示した図である。
【図２９】第２の実施形態に於ける一方のワイプ格納庫からワイプホルダが出庫するときのカバーの状態を示した図である。
【図３０】第２の実施形態に於ける一方のワイプ格納庫からワイプホルダが格納されるときのカバーの状態を示した図である。
【符号の説明】
【０１２７】
１０…インクジェット記録装置本体、１２…給紙トレイ、１３…記録媒体、１４…ピックアップローラ、１５…レジストローラ対、１７…ベルトユニット、１８…プラテンフレーム、１９〜２１…プラテンローラ、２２…ベルト、２３…プラテン、２４…吸引ファン、２７…排出ローラ対、２８…排紙トレイ、３０…ヘッドホルダ、３１ｋ、３１ｃ、３１ｍ、３１ｙ…インクヘッド部、３２ｋ、３２ｃ、３２ｍ、３２ｙ…ノズル面、３４…キャップユニット、３５…キャップフレーム、３６…インクパン、３７ｋ、３７ｃ、３７ｍ、３７ｙ、…吸引キャップ部、３９…ワイプユニット、４０ｋ、４０ｃ、４０ｍ、４０ｙ…ワイプブレード、４３…制御部、４５…ワイプモータ、４６、４７…プーリ、４８…ベルト、５０ａ、５０ｂ…ガイド軸、５１…ガイド溝、５２…ガイドプレート、５３…ワイプホルダ、５４ａ、５４ｂ…ブッシュ、５５…ベルト固定部、５６…ガイドフック、５７…ワイプ格納庫、５８…開口５９…カバー、６０ａ、６０ｂ…カバー軸、６２…開閉ガイド、６３…凸部、６５…ブレードホルダ、６７ａ、６７ｂ…支持部、６８ａ、６８ｂ…ワイプ軸、６９、７３…反転ガイド、７０…ストッパ、７２…バネ、７４…廃液口、７５1 、７５2 、７５3 、７５4 …インクガイド、７８ａ、７８ｂ…インク吸収体、８０…インクジェット記録装置、８１ｋ、８１ｃ、８１ｍ、８１ｙ…インクヘッド、８２ｋ、８２ｃ、８２ｍ、８２ｙ…保護キャップ、８４…インクパン、８５ａ、８５ｂ…ワイプ格納庫、８６…ワイプホルダ、８７ａ、８７ｂ、８７ｃ、８７ｄ…カバー、８８ａ、８８ｂ、８８ｃ、８８ｄ、８８ｅ、８８ｆ、８８ｇ、８８ｈ…カバー軸、９０ａ1 、９０ａ2 、９０ｂ1 、９０ｂ2 、９０ｃ1 、９０ｃ2 、９０ｄ1 、９０ｄ2 …インクガイド、９１…ブレードホルダ、９２ａ、９２ｂ…ガイド、９３ｋ1 、９３ｃ1 、９３ｍ1 、９３ｙ1 、９３ｋ2 、９３ｃ2 、９３ｍ2 、９３ｙ2 …ブレードクリーナ、９６ｋ、９６ｃ、９６ｍ、９６ｙ…突起、９７ａ、９７ｂ…インク吸収体。
【図１】
2008284719.tif 000003
【図２】
2008284719.tif 000004
【図３】
2008284719.tif 000005
【図４】
2008284719.tif 000006
【図５】
2008284719.tif 000007
【図６】
2008284719.tif 000008
【図７】
2008284719.tif 000009
【図８】
2008284719.tif 000010
【図９】
2008284719.tif 000011
【図１０】
2008284719.tif 000012
【図１１】
2008284719.tif 000013
【図１２】
2008284719.tif 000014
【図１３】
2008284719.tif 000015
【図１４】
2008284719.tif 000016
【図１５】
2008284719.tif 000017
【図１６】
2008284719.tif 000018
【図１７】
2008284719.tif 000019
【図１８】
2008284719.tif 000020
【図１９】
2008284719.tif 000021
【図２０】
2008284719.tif 000022
【図２１】
2008284719.tif 000023
【図２２】
2008284719.tif 000024
【図２３】
2008284719.tif 000025
【図２４】
2008284719.tif 000026
【図２５】
2008284719.tif 000027
【図２６】
2008284719.tif 000028
【図２７】
2008284719.tif 000029
【図２８】
2008284719.tif 000030
【図２９】
2008284719.tif 000031
【図３０】
2008284719.tif 000032